【手続補正書】
【提出日】平成18年6月23日(2006.6.23)
【手続補正１】
【補正対象書類名】明細書
【補正対象項目名】特許請求の範囲
【補正方法】変更
【補正の内容】
【特許請求の範囲】
【請求項１】
標本を載置するためのベースと、
前記ベース上に設けられた支柱と、
前記支柱に対して昇降可能に設けられたアーム部と、
前記アーム部に対して着脱可能に設けられ、前記標本の観察像を得る実体顕微鏡本体と、
前記アーム部を前記支柱に対して昇降させる焦準機構と、
それぞれ光束を発する複数の発光ダイオードを平面状に設け、前記標本を照明する少なくとも１つの照明部と、
前記照明部に電力を供給する電源基板と、
を具備し、
前記ベースは、
前記支柱よりも正面側に形成され、前記照明部を収納するベース薄板部と、
前記ベース薄板部の上面よりも上方に突出して形成され、前記電源基板を収納するベース凸部と、
を有することを特徴とする実体顕微鏡。
【請求項２】
前記照明部は、前記ベース薄板部、前記アーム部又は前記実体顕微鏡本体の先端部のうち少なくとも1箇所に設けられることを特徴とする請求項1記載の実体顕微鏡。
【請求項３】
前記照明部は、前記ベース薄板部、前記アーム部又は前記実体顕微鏡本体の先端部に対して着脱可能に設けられたことを特徴とする請求項１記載の実体顕微鏡。
【請求項４】
前記照明部は、電力供給用のケーブルを有し、このケーブルをコネクタを介して電源側と接続又は切り離し可能であることを特徴とする請求項３記載の実体顕微鏡。
【請求項５】
前記ベース又は前記アーム部のいずれか一方又は両方に設けられる照明部は、
複数の前記発光ダイオードと、
前記複数の発光ダイオードを平面上に実装する基板と、
前記複数の発光ダイオードから発光された光束を拡散する拡散素子と、
を有することを特徴とする請求項２又は３項記載の実体顕微鏡。
【請求項６】
前記照明部は、凹形状の枠内に前記基板を設け、かつ前記枠の上部と前記拡散素子との間にＯリングを圧縮して挟み込んで、前記枠の上部に前記拡散素子を固定したことを特徴とする請求項５項記載の実体顕微鏡。
【請求項７】
前記実体顕微鏡本体の先端部に設けられる前記照明部は、
複数の前記発光ダイオードと、
前記複数の発光ダイオードから発せられる各光束を前記実体顕微鏡本体の合焦位置に照射されるように傾けて輪帯状に実装し、かつ前記実体顕微鏡本体の先端部に対して着脱可能に嵌合する輪帯状の枠と、
を有することを特徴とする請求項２又は３項記載の実体顕微鏡。
【請求項８】
前記ベース薄板部は、前記実体顕微鏡本体の光軸を中心として開口部が設けられ、
前記開口部に前記照明部が内挿されるとともに、透明な標本載置板によって開口部が覆われることを特徴とする請求項１記載の実体顕微鏡。
【請求項９】
前記ベースは、前記ベース薄板部の周辺縁部で裾広がりに傾斜して形成されるテーパ部を有することを特徴とする請求項１項記載の実体顕微鏡。
【請求項１０】
前記ベース薄板部に設けられる前記照明部に対して電力を配分する第1のケーブルと、
前記アーム部又は前記実体顕微鏡本体の先端部に設けられる前記照明部に対して電力を配分する第2のケーブルと、
前記電源基板が前記各照明部に対して供給する電力を調整する調光部を有することを特徴とする請求項２又は３記載の実体顕微鏡。
【請求項１１】
複数の前記照明部を前記ベース薄板部、前記アーム部又は前記実体顕微鏡本体の先端部に対してそれぞれ設け、これら照明部を同時又は選択して前記標本を照明可能であることを特徴とする請求項１記載の実体顕微鏡。
【請求項１２】
前記照明部を前記ベース薄板部、前記アーム部又は前記実体顕微鏡本体の先端部のうち少なくとも２箇所に設けた場合、一方の前記照明部を点灯し、他方の前記照明部を消灯する電源供給制御回路を備えたことを特徴とする請求項２又は３記載の実体顕微鏡。
【請求項１３】
前記発光ダイオードの実装個数の異なる前記各照明部を前記ベース薄板部、前記アーム部又は前記実体顕微鏡本体の先端部の少なくとも２箇所に選択的に設ける場合、前記各照明部にそれぞれ略同一値の各電流を供給する電流制御回路を備えたことを特徴とする請求項１記載の実体顕微鏡。
【請求項１４】
前記複数の発光ダイオードは、発光色の異なるものを用いることを特徴とする請求項１記載の実体顕微鏡。
【請求項１５】
標本載置部を有するベースと、
前記ベース上に設けられた支柱と、
前記支柱に対して昇降可能に設けられたアーム部と、
前記アーム部に対して着脱可能に設けられ、前記標本の観察像を得る実体顕微鏡本体と、
前記アーム部を前記支柱に対して昇降させる焦準機構と、
前記標本載置部に設けられ、前記標本を照明するための光束を発する複数の発光ダイオードを平面状に配置した照明部と、
前記照明部に電力を供給する電源基板と、
を具備し、
前記ベースは、前記標本載置部の周辺縁部で裾広がりに傾斜して形成されるテーパ部を有することを特徴とする実体顕微鏡。
【手続補正２】
【補正対象書類名】明細書
【補正対象項目名】００１４
【補正方法】変更
【補正の内容】
【００１４】
【課題を解決するための手段】
本発明は、標本を載置するためのベースと、ベース上に設けられた支柱と、支柱に対して昇降可能に設けられたアーム部と、アーム部に対して着脱可能に設けられ、標本の観察像を得る実体顕微鏡本体と、アーム部を支柱に対して昇降させる焦準機構と、それぞれ光束を発する複数の発光ダイオードを平面状に設け、標本を照明する少なくとも１つの照明部と、照明部に電力を供給する電源基板と、を具備し、
ベースは、支柱よりも正面側に形成され、照明部を収納するベース薄板部と、ベース薄板部の上面よりも上方に突出して形成され、電源基板を収納するベース凸部と、を有する実体顕微鏡である。
【手続補正３】
【補正対象書類名】明細書
【補正対象項目名】００１５
【補正方法】変更
【補正の内容】
【００１５】
本発明の実体顕微鏡における照明部は、ベース薄板部、アーム部又は実体顕微鏡本体の先端部のうち少なくとも1箇所に設けられることが好ましい。
【手続補正４】
【補正対象書類名】明細書
【補正対象項目名】００１６
【補正方法】変更
【補正の内容】
【００１６】
本発明の実体顕微鏡における照明部は、ベース薄板部、アーム部又は実体顕微鏡本体の先端部に対して着脱可能に設けることが好ましい。
【手続補正５】
【補正対象書類名】明細書
【補正対象項目名】００２１
【補正方法】変更
【補正の内容】
【００２１】
本発明の実体顕微鏡におけるベース薄板部は、実体顕微鏡本体の光軸を中心として開口部が設けられ、開口部に前記照明部が内挿されるとともに、透明な標本載置板によって開口部が覆われることを特徴とすることが好ましい。
【手続補正６】
【補正対象書類名】明細書
【補正対象項目名】００２２
【補正方法】変更
【補正の内容】
【００２２】
本発明の実体顕微鏡におけるベースは、ベース薄板部の周辺縁部で裾広がりに傾斜して形成されるテーパ部を有することが好ましい。
【手続補正７】
【補正対象書類名】明細書
【補正対象項目名】００２３
【補正方法】変更
【補正の内容】
【００２３】
本発明の実体顕微鏡におけるベース薄板部に設けられる照明部に対して電力を配分する第1のケーブルと、アーム部又は実体顕微鏡本体の先端部に設けられる照明部に対して電力を配分する第2のケーブルと、電源基板が各照明部に対して供給する電力を調整する調光部を有することが好ましい。
【手続補正８】
【補正対象書類名】明細書
【補正対象項目名】００２５
【補正方法】変更
【補正の内容】
【００２５】
本発明の実体顕微鏡における照明部をベース薄板部、アーム部又は実体顕微鏡本体の先端部のうち少なくとも２箇所に設けた場合、一方の照明部を点灯し、他方の照明部を消灯する電源供給制御回路を備えたことが好ましい。
【手続補正９】
【補正対象書類名】明細書
【補正対象項目名】００２６
【補正方法】変更
【補正の内容】
【００２６】
本発明の実体顕微鏡における発光ダイオードの実装個数の異なる各照明部をベース薄板部、アーム部又は実体顕微鏡本体の先端部の少なくとも２箇所に選択的に設ける場合、各照明部にそれぞれ略同一値の各電流を供給する電流制御回路を備えたことが好ましい。
【手続補正１０】
【補正対象書類名】明細書
【補正対象項目名】００２７
【補正方法】変更
【補正の内容】
【００２７】
本発明の実体顕微鏡における複数の発光ダイオードは、発光色の異なるものを用いることが好ましい。
【手続補正１１】
【補正対象書類名】明細書
【補正対象項目名】００２８
【補正方法】変更
【補正の内容】
【００２８】
また、本発明は、標本載置部を有するベースと、ベース上に設けられた支柱と、支柱に対して昇降可能に設けられたアーム部と、アーム部に対して着脱可能に設けられ、標本の観察像を得る実体顕微鏡本体と、アーム部を前記支柱に対して昇降させる焦準機構と、
標本載置部に設けられ、標本を照明するための光束を発する複数の発光ダイオードを平面状に配置した照明部と、照明部に電力を供給する電源基板と、を具備し、ベースは、標本載置部の周辺縁部で裾広がりに傾斜して形成されるテーパ部を有する実体顕微鏡である。